(57)【要約】【課題】カラオケ演奏における重複選曲を抑制する電子早見本装置を提供する。【解決手段】タッチパネルディスプレイ６８を介して入力される条件に応じて多数の演奏曲のうちから単数乃至は複数の演奏曲を検索する演奏曲検索制御手段１０４と、前記タッチパネルディスプレイ６８を介して選択される演奏曲の情報をカラオケ装置１６へ選曲情報として送信する選曲送信制御手段１０６と、その選曲送信制御手段１０６により送信された演奏曲の情報を選曲履歴として記憶する選曲履歴データベース１０２と、その選曲履歴データベース１０２に記憶された選曲履歴に応じて前記演奏曲検索制御手段１０４による制御及び前記選曲送信制御手段１０６による制御のうち少なくとも一方に制限をかける検索／選曲制限手段１０８とを、備えたものであることから、過誤による重複選曲を好適に防止することができる。【選択図】図５
2008083582.tif 000002
【特許請求の範囲】
【請求項１】
多数の演奏曲のうちから選択される所定の演奏曲を出力させるカラオケ装置を遠隔操作するために、所定の映像を表示させると共に利用者の接触に応じて前記カラオケ装置への入力を行うタッチパネルディスプレイを備えた電子早見本装置であって、
前記タッチパネルディスプレイを介して入力される条件に応じて前記多数の演奏曲のうちから単数乃至は複数の演奏曲を検索する演奏曲検索制御手段と、
前記タッチパネルディスプレイを介して選択される演奏曲の情報を前記カラオケ装置へ選曲情報として送信する選曲送信制御手段と、
該選曲送信制御手段により送信された演奏曲の情報を選曲履歴として記憶する選曲履歴データベースと、
該選曲履歴データベースに記憶された選曲履歴に応じて前記演奏曲検索制御手段による制御及び前記選曲送信制御手段による制御のうち少なくとも一方に制限をかける制限手段と
を、備えたものであることを特徴とする電子早見本装置。
【請求項２】
前記制限手段は、前記選曲履歴データベースに記憶された選曲履歴に含まれる演奏曲のうちその時点から遡ること所定時間内に選曲された演奏曲を制限対象とし、該制限対象である演奏曲に関する前記演奏曲検索制御手段による制御及び前記選曲送信制御手段による制御のうち少なくとも一方に制限をかけるものである請求項１の電子早見本装置。
【請求項３】
前記制限手段は、前記電子早見本装置の前記カラオケ装置への最後の対応付け処理が行われてから前記選曲履歴データベースに記憶された選曲履歴に含まれる演奏曲を制限対象とし、該制限対象である演奏曲に関する前記演奏曲検索制御手段による制御及び前記選曲送信制御手段による制御のうち少なくとも一方に制限をかけるものである請求項１又は２の電子早見本装置。
【請求項４】
前記制限手段は、前記制限対象である演奏曲を前記演奏曲検索制御手段による検索の対象から除外するものである請求項２又は３の電子早見本装置。
【請求項５】
前記制限手段は、前記制限対象である演奏曲が前記選曲送信制御手段による送信の対象として選択された場合、前記タッチパネルディスプレイに所定の抑止映像を表示させるものである請求項２から４の何れかの電子早見本装置。
【請求項６】
前記制限手段は、前記制限対象である演奏曲に関する前記選曲送信制御手段による送信を禁止するものである請求項２から５の何れかの電子早見本装置。
【請求項７】
前記選曲履歴データベースは、識別番号によって識別される利用者毎に前記選曲履歴を記憶するものであり、前記制限手段は、該利用者毎に前記制限を行い得るものである請求項１から６の何れかの電子早見本装置。
【請求項８】
通信回線を介して所定のセンタ装置との間で情報の通信を行うための通信部を備え、前記選曲履歴データベースは、該センタ装置から取得される演奏曲に関する情報を前記選曲履歴として記憶し得るものである請求項１から７の何れかの電子早見本装置。
【請求項９】
前記制限手段は、前記電子早見本装置を単位とする選曲履歴、前記利用者毎の選曲履歴、及び前記センタ装置から取得される演奏曲に関する情報を含む選曲履歴のうち何れかに応じて前記制限を行うように選択が可能とされたものである請求項８の電子早見本装置。
【発明の詳細な説明】
【技術分野】
【０００１】
本発明は、多数の演奏曲のうちから選択される所定の演奏曲を出力させるカラオケ装置を遠隔操作するための電子早見本装置に関し、特に、その演奏曲検索制御及び選曲送信制御の改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置を遠隔操作するために、所定の映像を表示させると共に利用者の接触に応じてそのカラオケ装置への入力を行うタッチパネルディスプレイを備えた電子早見本装置が知られている。例えば、特許文献１に記載された電子目次本機能付きカラオケリモコン装置がそれである。この技術によれば、上記タッチパネルディスプレイに表示される映像を参照しつつ、利用者の指や備え付けのペン等によりそのタッチパネルディスプレイに接触（タッチ入力）することにより簡便に上記カラオケ装置への入力を行うことができる。
【０００４】
【特許文献１】特開２００３−２０２８７２号公報
【０００５】
ところで、前記カラオケ装置によるカラオケ演奏では、既に選曲入力の行われている演奏曲を行き違いにより再度選曲入力してしまったり、つい先刻カラオケ演奏が行われた演奏曲であることを忘れて選曲入力してしまったりという、所謂重複選曲の問題があった。前述した従来の電子早見本装置は、タッチパネルディスプレイへの接触により簡便に演奏曲の検索乃至は選曲送信ができる反面、その簡便さゆえに重複選曲のおそれが大きかった。このため、カラオケ演奏における重複選曲を抑制する電子早見本装置の開発が求められていた。
【発明の開示】
【発明が解決しようとする課題】
【０００６】
本発明は、以上の事情を背景として為されたものであり、その目的とするところは、カラオケ演奏における重複選曲を抑制する電子早見本装置を提供することにある。
【課題を解決するための手段】
【０００７】
斯かる目的を達成するために、本発明の要旨とするところは、多数の演奏曲のうちから選択される所定の演奏曲を出力させるカラオケ装置を遠隔操作するために、所定の映像を表示させると共に利用者の接触に応じて前記カラオケ装置への入力を行うタッチパネルディスプレイを備えた電子早見本装置であって、前記タッチパネルディスプレイを介して入力される条件に応じて前記多数の演奏曲のうちから単数乃至は複数の演奏曲を検索する演奏曲検索制御手段と、前記タッチパネルディスプレイを介して選択される演奏曲の情報を前記カラオケ装置へ選曲情報として送信する選曲送信制御手段と、その選曲送信制御手段により送信された演奏曲の情報を選曲履歴として記憶する選曲履歴データベースと、その選曲履歴データベースに記憶された選曲履歴に応じて前記演奏曲検索制御手段による制御及び前記選曲送信制御手段による制御のうち少なくとも一方に制限をかける制限手段とを、備えたことを特徴とするものである。
【発明の効果】
【０００８】
このようにすれば、前記タッチパネルディスプレイを介して入力される条件に応じて前記多数の演奏曲のうちから単数乃至は複数の演奏曲を検索する演奏曲検索制御手段と、前記タッチパネルディスプレイを介して選択される演奏曲の情報を前記カラオケ装置へ選曲情報として送信する選曲送信制御手段と、その選曲送信制御手段により送信された演奏曲の情報を選曲履歴として記憶する選曲履歴データベースと、その選曲履歴データベースに記憶された選曲履歴に応じて前記演奏曲検索制御手段による制御及び前記選曲送信制御手段による制御のうち少なくとも一方に制限をかける制限手段とを、備えたものであることから、過誤による重複選曲を好適に防止することができる。すなわち、カラオケ演奏における重複選曲を抑制する電子早見本装置を提供することができる。
【０００９】
ここで、好適には、前記制限手段は、前記選曲履歴データベースに記憶された選曲履歴に含まれる演奏曲のうちその時点から遡ること所定時間内に選曲された演奏曲を制限対象とし、その制限対象である演奏曲に関する前記演奏曲検索制御手段による制御及び前記選曲送信制御手段による制御のうち少なくとも一方に制限をかけるものである。このようにすれば、所定時間内に選曲された演奏曲の過誤による重複選曲を好適に防止することができるという利点がある。
【００１０】
また、好適には、前記制限手段は、前記電子早見本装置の前記カラオケ装置への最後の対応付け処理が行われてから前記選曲履歴データベースに記憶された選曲履歴に含まれる演奏曲を制限対象とし、その制限対象である演奏曲に関する前記演奏曲検索制御手段による制御及び前記選曲送信制御手段による制御のうち少なくとも一方に制限をかけるものである。このようにすれば、前記電子早見本装置の前記カラオケ装置への最後の対応付け処理すなわちそのカラオケ演奏開始時における対応付け処理が行われてから選曲された演奏曲の過誤による重複選曲を好適に防止することができるという利点がある。
【００１１】
また、好適には、前記制限手段は、前記制限対象である演奏曲を前記演奏曲検索制御手段による検索の対象から除外するものである。このようにすれば、既に選曲された演奏曲の過誤による重複選曲を実用的な態様で好適に防止することができるという利点がある。
【００１２】
また、好適には、前記制限手段は、前記制限対象である演奏曲が、前記選曲送信制御手段による送信の対象として選択された場合、前記タッチパネルディスプレイに所定の抑止映像を表示させるものである。このようにすれば、既に選曲された演奏曲の過誤による重複選曲を実用的な態様で好適に防止することができるという利点がある。
【００１３】
また、好適には、前記制限手段は、前記制限対象である演奏曲に関して、前記選曲送信制御手段による送信を禁止するものである。このようにすれば、既に選曲された演奏曲の過誤による重複選曲を実用的な態様で好適に防止することができるという利点がある。
【００１４】
また、好適には、前記選曲履歴データベースは、識別番号によって識別される利用者毎に前記選曲履歴を記憶するものであり、前記制限手段は、その利用者毎に前記制限を行い得るものである。このようにすれば、利用者を単位として既に選曲された演奏曲の過誤による重複選曲を実用的な態様で好適に防止することができるという利点がある。
【００１５】
また、好適には、通信回線を介して所定のセンタ装置との間で情報の通信を行うための通信部を備え、前記選曲履歴データベースは、そのセンタ装置から取得される演奏曲に関する情報を前記選曲履歴として記憶し得るものである。このようにすれば、前記センタ装置に記憶された十八番情報や過去の選曲履歴等に含まれる演奏曲に基づいて、それら演奏曲の重複選曲を実用的な態様で好適に防止することができるという利点がある。
【００１６】
また、好適には、前記制限手段は、前記電子早見本装置を単位とする選曲履歴、前記利用者毎の選曲履歴、及び前記センタ装置から取得される演奏曲に関する情報を含む選曲履歴のうち何れかに応じて前記制限を行うように選択が可能とされたものである。このようにすれば、利用者の所望に応じて好適な態様で重複選曲を防止することができるという利点がある。
【００１７】
以下、本発明の好適な実施例を図面に基づいて詳細に説明する。
【実施例】
【００１８】
図１は、本発明が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）の本発明の一実施例であるカラオケ装置１６ａ、１６ｂ、１６ｃ、・・・（以下、特に区別しない場合には単にカラオケ装置１６と称する）が設置されている。これら複数のカラオケ装置１６のうち、マスターコマンダである所定のカラオケ装置１６ａは、公衆電話回線等による通信回線１８を介してカラオケサービス提供会社のセンタ装置２０に接続されており、そのセンタ装置２０と上記カラオケ装置１６ａの相互間で情報の通信が可能とされている。このセンタ装置２０は、カラオケ情報、背景映像情報、曲間情報等のデジタルコンテンツ（Digital Contents）の保管や入出力管理等の基本的な制御を行うサーバであり、上記通信回線１８を介してマスターコマンダであるカラオケ装置１６ａに定期的にコンテンツの配信を行うと共に、そのカラオケ装置１６ａからの要求に応じて所定の情報や機能制御プログラムを送信するものである。また、上記カラオケシステム１０は、所定の対応付け処理が行われることで上記カラオケ装置１６の一部として機能する、本発明の一実施例である複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信や所定の手順により特定されたカラオケ装置１６との間における赤外線通信等の短距離無線通信により行われる。
【００１９】
図２は、上記カラオケ装置１６の構成を例示するブロック線図である。この図２に示すように、上記カラオケ装置１６は、ＣＲＴ（Cathode-ray Tube）やＴＦＴ（Thin Film Transistor Liquid Crystal）等の映像表示装置３０と、ＣＲＴコントローラ等の映像出力部３２と、映像情報デコーダ３４と、ビデオミキサ３６と、音源であるシンセサイザ３８と、音声入力装置であるマイクロフォン４０と、アンプミキサ４２と、スピーカ４４と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記電子早見本装置２２やリモコン装置２８等の入力装置からのリモコン信号を受信するためのリモコン受信部６２とを、備えて構成されている。
【００２０】
上記ＣＰＵ５０は、上記ＲＡＭ５４の一時記憶機能を利用しつつ上記ＲＯＭ５２に予め記憶された所定のプログラムに基づいて電子情報を処理・制御する所謂コンピュータであり、上記電子早見本装置２２やリモコン装置２８等により所定のカラオケ演奏曲が選曲された場合、その選曲されたカラオケ演奏曲を上記ＲＡＭ５４に設けられた予約曲テーブルに登録したり、その予約曲テーブルの演奏順に従って上記ハードディスク５６から上記ＲＡＭ５４に選曲されたカラオケ演奏曲の演奏情報及び歌詞情報等を読み出したり、カラオケ演奏曲の演奏が進行するのに応じてそのＲＡＭ５４から上記シンセサイザ３８へ演奏情報を送信したり、歌詞情報に基づいて歌詞文字映像を生成して上記映像出力部３２へ送ったり、選曲時には曲名文字映像を生成して上記映像出力部３２へ送ったり、上記映像情報デコーダ３４を制御して所定の背景映像を再生させたり、カラオケ演奏が行われていない間すなわち曲間において、新譜情報、選曲ランキング、店舗広告等の曲間情報を出力させたり、前記電子早見本装置２２やリモコン装置２８等から入力される効果音制御信号に応じて前記シンセサイザ３８により所定の効果音を出力させたり、前記通信回線１８を介した前記センタ装置２０との間の情報通信制御等の基本的な制御を実行する。
【００２１】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４６の一部機能を遠隔で実行するための入力装置として機能するリモコン装置２８が備えられており、前記リモコン受信部６２は、そのリモコン装置２８から送信されるリモコン信号を受信して前記ＣＰＵ５０へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００２２】
前記映像出力部３２は、前記ＣＰＵ５０において生成された歌詞文字映像等の文字映像（テロップ）を出力する文字映像出力装置として機能する他、前記映像表示装置３０による種々の映像表示を制御する映像表示制御装置である。また、前記映像情報デコーダ３４は、利用者が歌詞を参照しながら歌を歌う際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサへ送られる。また、前記ビデオミキサ３６は、前記ＣＰＵ５０において生成され且つ前記映像出力部３２から出力される文字映像と、前記映像情報デコーダ３４により再生される背景映像とを合成して前記映像表示装置３０に表示させる映像合成装置である。
【００２３】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者の歌声とがミキシングされ、それらの信号が電気的に増幅されて前記スピーカ４４から出力される。
【００２４】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、このモデム５８は、マスターコマンダとして機能するカラオケ装置１６ａには必要とされるが、他のカラオケ装置１６には必ずしも設けられなくともよい。すなわち、本実施例において、前記カラオケ装置１６ａ以外のカラオケ装置１６及び前記電子早見本装置２２は、前記ＬＡＮ２４及びそのカラオケ装置１６ａを介して前記通信回線１８に接続され、その通信回線１８を介して前記サーバ装置２０との間で情報の送受信を行う。
【００２５】
前記ＬＡＮポート６０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６により受け付けられる前記電子早見本装置２２からの選曲入力を受け付けたり、前記カラオケ装置１６から電子早見本装置２２へ所定の情報を送信したりというように、電波を介して前記カラオケ装置１６と電子早見本装置２２との間における相互の情報のやりとりが実行される。また、前記センタ装置２０と電子早見本装置２２との間の情報の通信もこのＬＡＮ２４を介して行われる。
【００２６】
前記ハードディスク５６には、カラオケ演奏曲を出力させるための多数のカラオケ情報を記憶するカラオケデータベースをはじめとする各種データベースが設けられている。このカラオケデータベースに記憶されるカラオケ情報は、演奏音を生成するための例えばＭＩＤＩデータ等の演奏情報及び歌詞文字映像を生成するための歌詞情報から成るものであり、コンテンツＩＤである各演奏曲に固有の選曲番号により識別される。カラオケボックス等の店舗にそれぞれ備えられた複数のカラオケ装置１６のうちマスターコマンダとして機能するカラオケ装置１６ａは、前記モデム５８を介して前記通信回線１８に接続されており、前記複数のカラオケ装置１６によって常に新しい曲が演奏可能とされるように、随時新たなカラオケ情報等が前記センタ装置２０から前記通信回線１８を介して配信され、前記ハードディスク５６のカラオケデータベース等に記憶される。また、そのようにして前記センタ装置２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、カラオケデータベース等の内容が等価なものとされる。
【００２７】
図３は、前記電子早見本装置２２の外観を大まかに示す斜視図である。この図３に示すように、前記電子早見本装置２２は、所定の画像（映像）を表示させると共に、利用者の接触に応じて入力を行うためのタッチパネルディスプレイ６８を備えている。また、前記カラオケ装置１６との間でデータの送受信や同期を実行したり、前記電子早見本装置２２に内蔵されたバッテリを充電する等の動作を行うスタンド型の接続架台（ドッキングテーブル）であるクレイドル６６を備えている。前記電子早見本装置２２は、そのクレイドル６６に取り付けられた状態又はそのクレイドル６６から取り外された状態で用いられ、取り付けられた状態においては、そのクレイドル６６及びＬＡＮ２４を介して前記カラオケ装置１６に有線接続されるようになっている。また、上記クレイドル６６から取り外された状態においては、上記アクセスポイント２６及びＬＡＮ２４を介して前記カラオケ装置１６に無線接続されるようになっている。
【００２８】
図４は、前記電子早見本装置２２の構成を説明するブロック線図である。この図４に示すように、前記電子早見本装置２２は、上記タッチパネルディスプレイ６８に所定の映像を表示させる表示装置７２と、その表示装置７２による表示を制御する表示制御部７４と、利用者の指や図示しない備え付けのペン等によるタッチパネルディスプレイ６８への接触により入力を行うタッチパネル７６と、そのタッチパネル７６による入力を制御する入力制御部７８と、中央演算処理装置であるＣＰＵ８０と、読出専用メモリであるＲＯＭ８２と、随時書込読出メモリであるＲＡＭ８４と、フラッシュＲＯＭ等の記憶部８６と、インターフェイス８８と、リモコン送信部９０と、無線ＬＡＮ通信部９２と、上記クレイドル６６と電気的な接続を可能とするためのコネクタ９６ａとを、備えて構成されている。上記クレイドル６６には、斯かる電子早見本装置２２と電気的な接続を可能とするためのコネクタ９６ｂが設けられており、前記電子早見本装置２２は、前記クレイドル６６に載置されて上記コネクタ９６ａ及び９６ｂが相互に接触させられることで、上記インターフェイス８８を介して前記クレイドル６６乃至はＬＡＮ２４に接続されるようになっている。上記記憶部８６には、図５に示すように演奏曲データベース１００及び選曲履歴データベース１０２をはじめとする各種データベースが設けられている。
【００２９】
上記ＣＰＵ８０は、上記ＲＡＭ８４の一時記憶機能を利用しつつ上記ＲＯＭ８２に記憶された情報に基づいて情報処理を実行する所謂マイクロコンピュータであり、上記表示制御部７４を介して前記タッチパネルディスプレイ６８（表示装置７２）に所定の映像を表示させたり、その映像に基づく前記タッチパネルディスプレイ６８（タッチパネル７６）への接触により上記入力制御部７８を介して入力される入力信号を処理したり、その入力信号に基づき前記無線ＬＡＮ通信部９２等を介して前記カラオケ装置１６へ選曲入力をはじめとする入力送信を行うといった基本的な制御に加え、後述する演奏曲検索制御及び選曲送信制御を実行する。また、前述のように前記電子早見本装置２２は、前記ＬＡＮ２４等を介して前記センタ装置２０との間で情報の送受信を行い得るものであり、前記インターフェイス８８及び無線ＬＡＮ通信部９２等が前記センタ装置２０との間で情報の通信を行うための通信部として機能する。
【００３０】
前記演奏曲データベース１００は、前記カラオケ装置１６により出力可能な演奏曲の情報を記憶するものであり、具体的には、前記カラオケ装置１６のカラオケデータベースに記憶された多数のカラオケ情報それぞれに対応して曲名、アーティスト名、属性情報、歌詞の歌い出し部分等の選曲案内情報、及び備考等を選曲番号毎に記憶するものである。また、前記選曲履歴データベース１０２は、前記電子早見本装置２２により過去に検索乃至は選曲送信された演奏曲の情報を記憶するものであり、好適には、その電子早見本装置２２により選曲送信された演奏曲の選曲番号及びその選曲時間を記憶するものである。なお、この選曲時間は、少なくとも選曲が行われた日時分、好適には秒までを記憶する。
【００３１】
図１５は、前記センタ装置２０の構成を説明する図である。この図１５に示すように、前記センタ装置２０は、中央演算処理装置であるＣＰＵ１２０、読出専用メモリであるメモリであるＲＯＭ１２２、及び随時書込読出メモリであるＲＡＭ１２４を備え、上記ＣＰＵ１２０によりＲＡＭ１２４の一時記憶機能を利用しつつＲＯＭ１２２に予め記憶されたプログラムに従って信号処理を行う所謂ノイマン式コンピュータである。また、ＣＲＴ等の映像表示装置１２６と、その映像表示装置１２６による映像の表示を制御するためのＣＲＴコントローラ１２８と、キーボード等の入力装置１３０と、その入力装置１３０による入力を処理するためのインターフェイス１３２と、上記ＣＰＵ１２０等を前記通信回線１８に接続するためのモデム１３４と、ハードディスク等の記憶装置１３６とを、備えて構成されている。
【００３２】
また、図１５に示すように、前記センタ装置２０の記憶装置１３６には、カラオケデータベース１３８及び顧客データベース１４０等の各種データベースが設けられている。上記カラオケデータベース１３８は、前記複数のカラオケ装置１６へ配信するための多数（例えば数万曲）のカラオケ情報を記憶するものである。前述のように、前記センタ装置２０は、前記通信回線１８を介して前記複数のカラオケ装置１６に接続可能とされており、それら複数のカラオケ装置１６によって常に新しい曲が演奏可能とされるように、前記カラオケデータベース１３８から随時新たなカラオケ情報を前記通信回線１８を介して送信（配信）できるようになっている。
【００３３】
また、上記顧客データベース１４０は、前記カラオケシステム１０を利用する各利用者毎の、前記カラオケ装置１６を用いたカラオケ演奏に関する情報を、その利用者の識別情報と関連付けて記憶する。この顧客データベース１４０には、上記各利用者の前記カラオケ装置１６を用いたカラオケ演奏に関する情報として、その利用者が前記カラオケ装置１６によるカラオケ演奏において十八番曲として登録した演奏曲（簡易な操作により選曲入力を行い得るように設定された演奏曲）に関する情報、そのユーザが前記カラオケ装置１６によるカラオケ演奏において選曲した選曲履歴としての演奏曲に関する情報、そのユーザが前記カラオケ装置１６によるカラオケ演奏において過去に行った演奏評価の評価結果に関する情報等が各利用者毎にその利用者の識別情報と関連付けられて記憶される。また、前記顧客データベース１４０には、各利用者毎にその利用者の名前（ニックネーム）、生年月日、性別、メールアドレス、及びログイン認証に用いられるパスワードがその利用者の識別情報と関連付けられて記憶されている。
【００３４】
図５は、前記電子早見本装置２２のＣＰＵ８０に備えられた制御機能の要部を説明する機能ブロック線図である。この図５に示す演奏曲検索制御手段１０４は、前記タッチパネルディスプレイ６８（タッチパネル７６）を介して入力される条件に応じて前記多数の演奏曲のうちから単数乃至は複数の演奏曲を検索する。具体的には、それぞれ所定の文字を示す複数の文字ボタンを前記タッチパネルディスプレイ６８に表示させ、その文字ボタンへの利用者の接触に応じて入力される条件に応じて歌手名又は演奏曲を検索する。図６は、演奏曲検索制御における文字入力画面を例示する図である。この図６に示すように、前記演奏曲検索制御手段１０４は、少なくとも五十音の文字を示す複数の文字ボタン映像１１０を前記タッチパネルディスプレイ６８に表示させる。このタッチパネルディスプレイ６８に表示された文字ボタン映像１１０に対応する部分への利用者の接触に応じて、前記タッチパネル７６及び入力制御部７８を介してそれら文字ボタン映像１１０によって示される文字乃至は文字列が入力される。また、そのようにして入力された文字乃至は文字列が図６に示すように文字表示欄１１２に表示される。
【００３５】
上記演奏曲検索制御手段１０４は、好適には、前記タッチパネルディスプレイ６８に表示された文字ボタン映像１１０への利用者の接触に応じて入力される文字乃至は文字列によって示される条件に基づいて単数乃至は複数の歌手名を検索（歌手名検索）する。具体的には、上記文字表示欄１１２に文字乃至は文字列が表示されている状態で検索ボタン映像１１４に対応する部分が利用者の指等による接触にて押されることにより、斯かる文字乃至は文字列と前方一致又は完全一致する単数乃至は複数の歌手名を前記演奏曲データベース１００に記憶された歌手名から検索する。例えば、図６に示すように、上記文字表示欄１１２に「はまおか」の文字が表示されている状態で検索ボタン映像１１４に対応する部分が利用者の指等による接触にて押されることにより、前記演奏曲データベース１００に記憶された情報に基づいてその「はまおか」の文字を先頭とする複数の歌手名を検索する。
【００３６】
図７は、演奏曲検索制御における選曲入力画面を例示する図である。この図７に示すように、前記演奏曲検索制御手段１０４は、上述のようにして歌手名が検索された場合、その歌手名に対応する単数乃至は複数の演奏曲を前記演奏曲データベース１００に記憶された多数の演奏曲から検索し、検索された演奏曲を示す演奏曲ボタン映像１１６を前記タッチパネルディスプレイ６８に表示させる。例えば、図７の選曲入力画面においては、「はまおか」の文字列と前方一致する「浜岡ゆいな」を歌手名とする複数の演奏曲を示す演奏曲ボタン映像１１６が前記タッチパネルディスプレイ６８に表示されている。
【００３７】
前記演奏曲検索制御手段１０４は、また好適には、前記タッチパネルディスプレイ６８に表示された文字ボタン映像１１０への利用者の接触に応じて入力される文字乃至は文字列によって示される条件に基づいて単数乃至は複数の演奏曲を検索（曲名検索）する。具体的には、上記文字表示欄１１２に文字乃至は文字列が表示されている状態で検索ボタン映像１１４に対応する部分が利用者の指等による接触にて押されることにより、曲名が斯かる文字乃至は文字列と前方一致又は完全一致する単数乃至は複数の演奏曲を前記演奏曲データベース１００に記憶された多数の演奏曲から検索する。そのようにして演奏曲が検索された後、上述した図７に示すように、検索された演奏曲を示す演奏曲ボタン映像１１６を前記タッチパネルディスプレイ６８に表示させる。
【００３８】
選曲送信制御手段１０６は、前記演奏曲検索制御手段１０４により前記タッチパネルディスプレイ６８に表示された演奏曲ボタン映像１１６に対応する部分への利用者の接触（タッチ入力）に応じて、その演奏曲ボタン映像１１６により示される演奏曲を選曲するための信号（選曲情報）を前記無線ＬＡＮ通信部９２やＬＡＮインターフェイス８８等を介して前記カラオケ装置１６に送信する。すなわち、利用者が所望する演奏曲を前記カラオケ装置１６のＲＡＭ５４等に形成された予約曲テーブルに登録するための選曲予約処理を行う。また、そのようにして選曲送信された演奏曲の選曲番号及び選曲時間（少なくとも日時分、好適には秒まで）等の情報を選曲履歴として前記選曲履歴データベース１０２に記憶する。また、好適には、前記電子早見本装置２２においてログインを行った利用者毎の選曲履歴を前記選曲履歴データベース１０２に記憶する。なお、この選曲履歴データベース１０２には、少なくとも前記電子早見本装置２２の前記カラオケ装置１６への最後の対応付け処理（すなわち、その時点におけるカラオケ演奏開始時における対応付け処理）が行われてからのすべての選曲履歴が蓄積される。
【００３９】
検索／選曲制限手段１０８は、前記選曲履歴データベース１０２に記憶された選曲履歴に応じて前記演奏曲検索制御手段１０４による制御及び前記選曲送信制御手段１０６による制御のうち少なくとも一方に制限をかける。好適には、前記選曲履歴データベース１０２に記憶された選曲履歴に含まれる演奏曲のうちその時点から遡ること所定時間内（例えば、１時間以内）に選曲された演奏曲に応じて以下に詳述する制限をかける。また、好適には、前記電子早見本装置２２の前記カラオケ装置１６への最後の対応付け処理が行われてから選曲されたすべての演奏曲に応じて以下に詳述する制限をかける。また、好適には、前記電子早見本装置２２においてログインを行った利用者毎の選曲履歴に基づいて、その利用者毎に以下に詳述する制限をかける。
【００４０】
前記検索／選曲制限手段１０８は、好適には、上記制限対象である演奏曲を前記演奏曲検索制御手段１０４による検索の対象から除外する。換言すれば、斯かる制限により、前記演奏曲検索制御手段１０４は、前記タッチパネルディスプレイ６８を介して入力される条件に応じて、前記演奏曲データベース１００に記憶された多数の演奏曲であって上記制限対象である演奏曲以外の演奏曲のうちから単数乃至は複数の演奏曲を検索する。図８は、図７との対比において斯かる制限について説明する図であり、例えば曲名「桜」に対応する演奏曲が上記制限対象である演奏曲の場合、図８に示すように、その曲名「桜」に対応する演奏曲は検索対象から除外され、その演奏曲を示す演奏曲ボタン映像１１６ａは前記タッチパネルディスプレイ６８に表示されない（図７を参照）。このようにして、上記制限対象である演奏曲の検索乃至は選曲送信が制限される。
【００４１】
前記検索／選曲制限手段１０８は、また好適には、前記制限対象である演奏曲が、前記選曲送信制御手段１０６による送信の対象として選択された場合、前記タッチパネルディスプレイ６８に所定の抑止映像を表示させる。図９は、前記タッチパネルディスプレイ６８に表示される抑止映像１１８を例示する図である。この抑止映像１１８の表示は、対象となる演奏曲の前記カラオケ装置１６への選曲送信の代替として行われ、少なくとも１回目のタッチ入力においてはその演奏曲の前記カラオケ装置１６への選曲送信は行われない。好適には、斯かる抑止映像１１８の表示は所定時間で終了させられ、それ以降において上記演奏曲が前記選曲送信制御手段１０６による送信の対象として選択された場合には、その演奏曲の前記カラオケ装置１６への選曲送信を行う。このようにして、上記制限対象である演奏曲の選曲送信が制限される。
【００４２】
前記検索／選曲制限手段１０８は、また好適には、前記制限対象である演奏曲に関して、前記選曲送信制御手段１０６による送信を禁止する。換言すれば、斯かる制限により、前記選曲送信制御手段１０６は、前記タッチパネルディスプレイ６８に表示された演奏曲ボタン映像１１６へのタッチ入力が行われた場合であっても、その演奏曲ボタン映像１１６に対応する演奏曲が前記制限対象である場合にはその演奏曲の選曲送信を行わない。また、この場合に、前記タッチパネルディスプレイ６８に、その演奏曲の選曲が既に行われており選曲送信が禁止されている旨を示す映像を表示させてもよい。このようにして、上記制限対象である演奏曲の選曲送信が制限される。
【００４３】
顧客情報取得手段１０９は、前記センタ装置２０の顧客データベース１４０に記憶された情報を取得する。例えば、その顧客データベース１４０に記憶された各利用者が十八番曲として登録した演奏曲に関する情報や、その利用者が前記カラオケ装置１６によるカラオケ演奏において選曲した選曲履歴としての演奏曲に関する情報等を取得する。この顧客情報取得手段１０９により取得された情報は、前記選曲履歴データベース１０２に前記選曲履歴と等価な情報として記憶される。好適には、利用者毎の情報が各利用者の選曲履歴として記憶される。前記検索／選曲制限手段１０８は、このようにして前記選曲履歴データベース１０２に記憶された選曲履歴に基づいて前記制限を行い得るものであり、換言すれば、前記センタ装置２０に記憶された利用者毎の演奏曲に関する情報に基づいて前記制限を行うものである。
【００４４】
前記検索／選曲制限手段１０８は、好適には、前記電子早見本装置２２を単位とする選曲履歴（電子早見本装置２２を用いる全ての利用者による選曲履歴）、前記ログインを行った利用者毎の選曲履歴、及び前記センタ装置２０から取得される演奏曲に関する情報を含む選曲履歴のうち何れかに応じて前記制限を行うように選択が可能とされたものであり、斯かる制限の開始に先だってその何れの制限モードで制限を行うかの選択入力操作が前記タッチパネルディスプレイ６８を介して行われる。
【００４５】
図１０は、前記電子早見本装置２２のＣＰＵ８０による演奏曲検索制御の要部を説明するフローチャートであり、所定の周期で繰り返し実行されるものである。
【００４６】
先ず、ステップ（以下、ステップを省略する）ＳＡ１において、前記タッチパネルディスプレイ６８へのタッチ入力により演奏曲検索操作が行われたか否かが判断される。このＳＡ１の判断が否定される場合には、それをもって本ルーチンが終了させられるが、ＳＡ１の判断が肯定される場合には、ＳＡ２において、前記選曲履歴データベース１０２から所定時間内又は対応付け処理が行われて以降全ての選曲履歴が読み出される。次に、前記検索／選曲制限手段１０８の動作に対応するＳＡ３において、ＳＡ２にて読み出された選曲履歴に含まれる演奏曲を除外して、前記演奏曲データベース１００に記憶された多数の演奏曲のうち条件に合う単数乃至は複数の演奏曲が検索される。次に、ＳＡ４において、ＳＡ３にて検索された演奏曲を示す演奏曲ボタン映像１１６が前記タッチパネルディスプレイ６８にタッチ入力可能に表示された後、本ルーチンが終了させられる。以上の制御において、ＳＡ１乃至ＳＡ４が前記演奏曲検索制御手段１０４の動作に対応する。
【００４７】
図１６は、前記電子早見本装置２２のＣＰＵ８０による演奏曲検索制御の他の一例の要部を説明するフローチャートであり、所定の周期で繰り返し実行されるものである。なお、この図１６に示す制御において、前述した図１０の制御と共通のステップについては同一の符号を付してその説明を省略する。
【００４８】
図１６に示す制御において、ＳＡ１の判断が肯定される場合、すなわち前記タッチパネルディスプレイ６８へのタッチ入力により演奏曲検索操作が行われたと判断される場合には、ＳＡ５において、その演奏曲検索操作が登録会員としてのログインを行っている利用者により行われたものであるか否かが判断される。このＳＡ５の判断が肯定される場合には、ＳＡ６において、後述する図１４にて設定された制限モードによる制限制御が適用された後、ＳＡ２以下の処理が実行されるが、ＳＡ５の判断が否定される場合、すなわちゲスト（非会員）による操作であると判断される場合には、ＳＡ７において、前記電子早見本装置２２を単位とする制限制御が適用された後、ＳＡ２以下の処理が適用される。
【００４９】
図１１は、前記電子早見本装置２２のＣＰＵ８０による選曲送信制御の要部を説明するフローチャートであり、所定の周期で繰り返し実行されるものである。
【００５０】
先ず、ＳＢ１において、前記タッチパネルディスプレイ６８へのタッチ入力により選曲送信操作が行われたか否かが判断される。このＳＢ１の判断が否定される場合には、それをもって本ルーチンが終了させられるが、ＳＢ１の判断が肯定される場合には、ＳＢ２において、前記選曲履歴データベース１０２から所定時間内又は対応付け処理が行われて以降全ての選曲履歴が読み出される。次に、ＳＢ３において、選曲送信操作の対象である演奏曲が、ＳＢ２にて読み出された選曲履歴に含まれているか否かが判断される。このＳＢ３の判断が否定される場合には、ＳＢ６以下の処理が実行されるが、ＳＢ３の判断が肯定される場合には、前記検索／選曲制限手段１０８の動作に対応するＳＢ４において、前記タッチパネルディスプレイ６８に所定の抑止映像１１８が所定時間表示される。次に、ＳＢ５において、再度選曲送信操作が行われたか否かが判断される。このＳＢ５の判断が否定される場合には、それをもって本ルーチンが終了させられるが、ＳＢ５の判断が肯定される場合には、ＳＢ６において、対象となる演奏曲の情報が前記ＬＡＮ２４等を介して前記カラオケ装置１６へ選曲入力情報として送信された後、本ルーチンが終了させられる。以上の制御において、ＳＢ１乃至ＳＢ６が前記選曲送信制御手段１０６の動作に対応する。
【００５１】
図１２は、前記電子早見本装置２２のＣＰＵ８０による選曲送信制御の他の一例の要部を説明するフローチャートであり、所定の周期で繰り返し実行されるものである。なお、この図１２に示す制御において、前述した図１１の制御と共通のステップについては同一の符号を付してその説明を省略する。
【００５２】
図１２の制御において、ＳＢ３の判断が肯定される場合、すなわち選曲送信操作の対象である演奏曲が、ＳＢ２にて読み出された選曲履歴に含まれていると判断される場合には、前記検索／選曲制限手段１０８の動作に対応するＳＢ７において、その演奏曲の選曲送信が禁止された後、本ルーチンが終了させられるが、ＳＢ３の判断が否定される場合、すなわち選曲送信操作の対象である演奏曲が、ＳＢ２にて読み出された選曲履歴に含まれていないと判断される場合には、ＳＢ６において、対象となる演奏曲の情報が前記ＬＡＮ２４等を介して前記カラオケ装置１６へ選曲入力情報として送信された後、本ルーチンが終了させられる。以上の制御において、ＳＢ１乃至ＳＢ３、及びＳＢ６が前記選曲送信制御手段１０６の動作に対応する。
【００５３】
図１３は、前記電子早見本装置２２のＣＰＵ８０によるログイン／ログアウト制御の一例の要部を説明するフローチャートであり、所定の周期で繰り返し実行されるものである。
【００５４】
先ず、ＳＣ１において、前記タッチパネルディスプレイ６８を介して所定のログイン操作が行われたか否かが判断される。このＳＣ１の判断が否定される場合には、ＳＣ５以下の処理が実行されるが、ＳＣ１の判断が肯定される場合には、ＳＣ２において、新規ユーザのログイン処理が行われる。次に、ＳＣ３において、前記選曲履歴データベース１０２に新規ユーザが登録され、その新規ユーザに対応して選曲履歴の記憶が開始される。次に、前記顧客情報取得手段１０９の動作に対応するＳＣ４において、新規ユーザに対応して前記センタ装置２０の顧客データベース１４０に記憶された十八番曲情報や選曲履歴等が取得され、前記選曲履歴データベース１０２におけるそのユーザの選曲履歴として記憶される。次に、ＳＣ５において、前記タッチパネルディスプレイ６８を介して所定のログアウト操作が行われたか否かが判断される。このＳＣ５の判断が否定される場合には、それをもって本ルーチンが終了させられるが、ＳＣ５の判断が肯定される場合には、ＳＣ６において、ユーザのログアウト処理が行われる。次に、ＳＣ７において、ログアウトしたユーザに対応して前記選曲履歴データベース１０２に記憶された選曲履歴が消去されると共に、そのユーザの登録が選曲履歴データベース１０２から抹消された後、本ルーチンが終了させられる。
【００５５】
図１４は、前記電子早見本装置２２のＣＰＵ８０による制限モード設定制御の一例の要部を説明するフローチャートであり、所定の周期で繰り返し実行されるものである。
【００５６】
先ず、ＳＤ１において、前記タッチパネルディスプレイ６８を介しての入力操作により前記電子早見本装置２２において重複演奏の制限制御を行う設定とするか否かが判断される。このＳＤ１の判断が肯定される場合には、ＳＤ２において、前記電子早見本装置２２を単位とする選曲履歴、図１３の制御においてログインを行った利用者毎の選曲履歴、及び前記センタ装置２０から取得される演奏曲に関する情報を含む選曲履歴のうち何れかに応じて前記制限を行うように制限モードが設定されて斯かる制限が開始された後、本ルーチンが終了させられるが、ＳＤ１の判断が否定される場合には、ＳＤ３において、重複演奏の制限制御が解除された後、本ルーチンが終了させられる。
【００５７】
このように、本実施例によれば、前記タッチパネルディスプレイ６８を介して入力される条件に応じて前記多数の演奏曲のうちから単数乃至は複数の演奏曲を検索する演奏曲検索制御手段１０４（ＳＡ１乃至ＳＡ４）と、前記タッチパネルディスプレイ６８を介して選択される演奏曲の情報を前記カラオケ装置１６へ選曲情報として送信する選曲送信制御手段１０６（ＳＢ１乃至ＳＢ６）と、その選曲送信制御手段１０６により送信された演奏曲の情報を選曲履歴として記憶する選曲履歴データベース１０２と、その選曲履歴データベース１０２に記憶された選曲履歴に応じて前記演奏曲検索制御手段１０４による制御及び前記選曲送信制御手段１０６による制御のうち少なくとも一方に制限をかける検索／選曲制限手段１０８（ＳＡ３、ＳＢ４、ＳＢ７）とを、備えたものであることから、過誤による重複選曲を好適に防止することができる。すなわち、カラオケ演奏における重複選曲を抑制する電子早見本装置２２を提供することができる。
【００５８】
また、前記検索／選曲制限手段１０８は、前記選曲履歴データベース１０２に記憶された選曲履歴に含まれる演奏曲のうちその時点から遡ること所定時間内に選曲された演奏曲を制限対象とし、その制限対象である演奏曲に関する前記演奏曲検索制御手段１０４による制御及び前記選曲送信制御手段１０６による制御のうち少なくとも一方に制限をかけるものであるため、所定時間内に選曲された演奏曲の過誤による重複選曲を好適に防止することができるという利点がある。
【００５９】
また、前記検索／選曲制限手段１０８は、前記電子早見本装置２２の前記カラオケ装置１６への最後の対応付け処理が行われてから前記選曲履歴データベース１０２に記憶された選曲履歴に含まれる演奏曲を制限対象とし、その制限対象である演奏曲に関する前記演奏曲検索制御手段１０４による制御及び前記選曲送信制御手段１０６による制御のうち少なくとも一方に制限をかけるものであるため、前記電子早見本装置２２の前記カラオケ装置１６への最後の対応付け処理すなわちそのカラオケ演奏開始時における対応付け処理が行われてから選曲された演奏曲の過誤による重複選曲を好適に防止することができるという利点がある。
【００６０】
また、前記検索／選曲制限手段１０８（ＳＡ３）は、前記制限対象である演奏曲を前記演奏曲検索制御手段１０４による検索の対象から除外するものであるため、既に選曲された演奏曲の過誤による重複選曲を実用的な態様で好適に防止することができるという利点がある。
【００６１】
また、前記検索／選曲制限手段１０８（ＳＢ４）は、前記制限対象である演奏曲が、前記選曲送信制御手段１０６による送信の対象として選択された場合、前記タッチパネルディスプレイ６８に所定の抑止映像１１８を表示させるものであるため、既に選曲された演奏曲の過誤による重複選曲を実用的な態様で好適に防止することができるという利点がある。
【００６２】
また、前記検索／選曲制限手段１０８（ＳＢ７）は、前記制限対象である演奏曲に関して、前記選曲送信制御手段１０６による送信を禁止するものであるため、既に選曲された演奏曲の過誤による重複選曲を実用的な態様で好適に防止することができるという利点がある。
【００６３】
また、前記選曲履歴データベース１０２は、識別番号によって識別される利用者毎に前記選曲履歴を記憶するものであり、前記検索／選曲制限手段１０８は、その利用者毎に前記制限を行い得るものであるため、利用者を単位として既に選曲された演奏曲の過誤による重複選曲を実用的な態様で好適に防止することができるという利点がある。
【００６４】
また、前記通信回線１８を介してセンタ装置２０との間で情報の通信を行うための無線ＬＡＮ通信部９２等を備え、前記選曲履歴データベース１０２は、そのセンタ装置２０から取得される演奏曲に関する情報を前記選曲履歴として記憶し得るものであるため、前記センタ装置２０に記憶された十八番情報や過去の選曲履歴等に含まれる演奏曲に基づいて、それら演奏曲の重複選曲を実用的な態様で好適に防止することができるという利点がある。
【００６５】
また、前記検索／選曲制限手段１０８は、前記電子早見本装置２２を単位とする選曲履歴、前記利用者毎の選曲履歴、及び前記センタ装置２０から取得される演奏曲に関する情報を含む選曲履歴のうち何れかに応じて前記制限を行うように選択が可能とされたものであるため、利用者の所望に応じて好適な態様で重複選曲を防止することができるという利点がある。
【００６６】
以上、本発明の好適な実施例を図面に基づいて詳細に説明したが、本発明はこれに限定されるものではなく、更に別の態様においても実施される。
【００６７】
例えば、前述した実施例では、前記演奏曲検索制御手段１０４により演奏曲の検索を行った後、その検索結果としての演奏曲を前記選曲送信制御手段１０６により選曲送信する態様について説明したが、本発明はこれに限定されるものではなく、前記電子早見本装置２２においては、前記タッチパネルディスプレイ６８を介しての選曲番号の直接入力による選曲、新譜情報からの選曲、今月のお薦め曲からの選曲等、様々な選曲送信の態様が考えられ、前記検索／選曲制限手段１０８は、そのようにして選曲された演奏曲の選曲履歴に関しても、前述のように検索結果として選曲された演奏曲の選曲履歴と同等に制限の対象とするものである。
【００６８】
また、前述した実施例では特に言及していないが、前記検索／選曲制限手段１０８による制限の有効、無効（オン／オフ）を利用者の所望に応じて随意に設定できるようにしてもよい。また、検索制御のみを制限、選曲制御のみを制限といったように、利用者の所望に応じて選択される前記演奏曲検索制御手段１０４による制御及び前記選曲送信制御手段１０６による制御のうち一方のみに制限をかけるようにしても構わない。
【００６９】
その他、一々例示はしないが、本発明はその趣旨を逸脱しない範囲内において種々の変更が加えられて実施されるものである。
【図面の簡単な説明】
【００７０】
【図１】本発明が好適に適用されるカラオケシステムを説明する概略図である。
【図２】図１のカラオケシステムに備えられたカラオケ装置の構成を例示するブロック線図である。
【図３】本発明の一実施例である電子早見本装置の外観を大まかに示す斜視図である。
【図４】図３の電子早見本装置の構成を例示するブロック線図である。
【図５】図４の電子早見本装置のＣＰＵに備えられた制御機能の要部を説明する機能ブロック線図である。
【図６】図４の電子早見本装置による演奏曲検索制御においてタッチパネルディスプレイに表示される文字入力画面を例示する図である。
【図７】図４の電子早見本装置による演奏曲検索制御においてタッチパネルディスプレイに表示される選曲入力画面を例示する図である。
【図８】図４の電子早見本装置による演奏曲検索制御においてタッチパネルディスプレイに表示される選曲入力画面を例示する図であり、図７の選曲入力画面と対比して所定の演奏曲の検索の制限を説明している。
【図９】図４の電子早見本装置による演奏曲検索制御においてタッチパネルディスプレイに表示される抑止映像を例示する図である。
【図１０】図４の電子早見本装置のＣＰＵによる演奏曲検索制御の要部を説明するフローチャートである。
【図１１】図４の電子早見本装置のＣＰＵによる選曲送信制御の要部を説明するフローチャートである。
【図１２】図４の電子早見本装置のＣＰＵによる選曲送信制御の他の一例の要部を説明するフローチャートである。
【図１３】図４の電子早見本装置のＣＰＵによるログイン／ログアウト制御の一例の要部を説明するフローチャートである。
【図１４】図４の電子早見本装置のＣＰＵによる制限モード設定制御の一例の要部を説明するフローチャートである。
【図１５】図１のカラオケシステムに備えられたセンタ装置の構成を例示するブロック線図である。
【図１６】図４の電子早見本装置のＣＰＵによる演奏曲検索制御の他の一例の要部を説明するフローチャートである。
【符号の説明】
【００７１】
１６：カラオケ装置
１８：通信回線
２０：センタ装置
２２：電子早見本装置
６８：タッチパネルディスプレイ
８８：インターフェイス（通信部）
９２：無線ＬＡＮ通信部（通信部）
１０２：選曲履歴データベース
１０４：演奏曲検索制御手段
１０６：選曲送信制御手段
１０８：検索／選曲制限手段
１１８：抑止映像
【図１】
2008083582.tif 000003
【図２】
2008083582.tif 000004
【図３】
2008083582.tif 000005
【図４】
2008083582.tif 000006
【図５】
2008083582.tif 000007
【図６】
2008083582.tif 000008
【図７】
2008083582.tif 000009
【図８】
2008083582.tif 000010
【図９】
2008083582.tif 000011
【図１０】
2008083582.tif 000012
【図１１】
2008083582.tif 000013
【図１２】
2008083582.tif 000014
【図１３】
2008083582.tif 000015
【図１４】
2008083582.tif 000016
【図１５】
2008083582.tif 000017
【図１６】
2008083582.tif 000018